(57)【特許請求の範囲】
【請求項１】
一端にバックルが取付けられた胴締めベルトにロープ連結用のリングを取付け、そのリングに安全装置付きのフックが先端に取付けられたフック付きロープを連結した高所作業用安全帯において、前記リングに安全装置付きのフックを先端に有する補助ロープを連結し、その補助ロープを胴締めベルトの長さ方向に間隔をおいて取付けたロープ案内輪に挿通して、胴締めベルトの締付け状態で補助ロープがフック付きロープの連結位置と対向する位置において胴締めベルト部分から延びるように配置されるようにしたことを特徴とする高所作業用安全帯。
【請求項２】
前記胴締めベルトに補助ロープを収納する収納袋を取付けたことを特徴とする請求項１に記載の高所作業用安全帯。
【発明の詳細な説明】
【０００１】
【発明の属する技術分野】
この発明は、高所で作業を行なう作業者の墜落を防止する高所作業用安全帯に関するものである。
【０００２】
【従来の技術】
一般に、高所で作業を行なう場合、作業者の腰部に高所作業用安全帯を締付け、その安全帯に接続されたロープの先端の安全装置付きのフックを高所作業位置に水平に張設された親網や足場枠の横パイプ等に係合して、作業者が万一足を踏み外して落下しても、ロープで受け止めて墜落を防止し、作業者の安全性を確保することが行なわれている。
【０００３】
上記のような高所作業用安全帯の使用において、作業位置を変更する場合、フックの掛け替えをしなければならない場合が生じる。このとき、親網や横パイプ等に対して非連結状態とされるため、墜落する危険がある。
【０００４】
そのような不都合を解決するため、安全帯に２本のロープを接続し、各ロープの先端に安全装置付きのフックを連結し、一方のフックを親網や横パイプ等に係合する使用状態において、フックの掛け替えが生じた場合、他方のフックを親網や横パイプに係合して一方のフックの掛け替えを行い、作業者の安全性を常に確保できるようにした安全帯が実開平７−３３３６０号公報において提案されている。
【０００５】
一般に、高所作業用安全帯においては、フック付きロープの先端のフックを、安全帯のロープ連結位置の対向位置に係合してロープをＵ字状とする、所謂Ｕ字つり状態の使用を禁止して作業者の安全性を確保することが義務づけられている。
【０００６】
このため、前記公報に記載された安全帯においては、胴締めベルトに２つのリング止めを取付け、各リング止めにフック付きロープを接続し、そのリング止めに他方のロープのフックが係合されないよう、各リング止めの形状を特殊な形状としてＵ字つり状態の使用がされないようにしている。
【０００７】
【発明が解決しようとする課題】
上記のように公報に開示された安全帯においては、胴締めベルトに対する２本のロープの連結に、特別仕様の２つのリング止めを必要とするため、経済性に問題がある。
【０００８】
この発明の課題は、Ｕ字つり状態の使用を禁止できるようにした操作性に優れたコストの安い２本のフック付きロープを有する高所作業用安全帯を提供することである。
【０００９】
【課題を解決するための手段】
上記の課題を解決するために、この発明においては、一端にバックルが取付けられた胴締めベルトにロープ連結用のリングを取付け、そのリングに安全装置付きのフックが先端に取付けられたフック付きロープを連結した高所作業用安全帯において、前記リングに安全装置付きのフックを先端に有する補助ロープを連結し、その補助ロープを胴締めベルトの長さ方向に間隔をおいて取付けたロープ案内輪に挿通して、胴締めベルトの締付け状態で補助ロープがフック付きロープの連結位置と対向する位置において胴締めベルト部分から延びるように配置されるようにした構成を採用している。
【００１０】
ここで、対向位置とは、胴締めベルトの締付け状態において、フック付きロープが腰部の一側に位置するとき、補助ベルトが腰部の他側に配置される位置をいう。
【００１１】
上記のように構成すると、胴締めベルトに一つのリングが取付けられているだけであるため、ロープのＵ字形のかけ渡しを防止することができ、Ｕ字つり状態の使用を確実に防止することができる。
【００１２】
また、胴締めベルトを締めつけた使用状態では、２本のロープのそれぞれが腰部の両側に配置されるため、フック付きロープの先端のフックの係脱に他方の補助ロープが邪魔することがなく、従来の安全帯と同様に操作性に優れた安全帯を得ることができる。
【００１３】
ここで、補助ロープが垂れ下がった状態であると、その補助ロープが作業者の移動を阻害するおそれがある。その問題点を解消するため、胴締めベルトに収納袋を取付け、その収納袋に補助ロープおよびフックを収納しておくのがよい。
【００１４】
【発明の実施の形態】
以下、この発明の実施の形態を図面に基づいて説明する。
【００１５】
図示のように、胴当てベルト１の片面には複数のベルト押えベルト２がベルト１の長さ方向に間隔をおいて設けられ、各ベルト押え２の両端部が胴当てベルト１に縫着されている。
【００１６】
胴締めベルト３はバックル４を一端に有する。この胴締めベルト３は胴当てベルト１とベルト押え２間に挿通され、その胴締めベルト３に複数のベルト挿通孔を有する板状のリング止め５が取付けられている。リング止め５の表面側に突出するベルト屈曲部３ａにはロープ連結用のＤ環から成るリング６が取付けられ、そのリング６にフック付きロープ７と、補助ロープ８の２本のロープがそれぞれ連結され、各ロープ７、８の先端に安全装置付のフック９ａ、９ｂが取付けられている。
【００１７】
補助ロープ８は、胴締めベルト３に取付けられた複数のロープ案内輪１０に挿通されて胴締めベルト３の他端側に引き出され、上記胴締めベルト３の締付け状態でフック付きロープ７が腰部の一側に配置されるとき、補助ロープ８が腰部の他側に配置されるようにされている。
【００１８】
ここで、ロープ案内輪１０は、細幅のバンドを二つ折りにし、その折り返し部を幅方向に縫着して上記折り返し部に輪１０ａを作り、上記二つの折り返しバンドで胴締めベルト３を巻き、その端部に取り付けた雌・雄のスナップ１０ｂの係合によって胴締めベルト３に取付けるようにしている。
【００１９】
胴締めベルト３には収納袋１１が取付けられ、その収納袋１１に補助ロープ８が収納し得るようになっている。
【００２０】
上記の構成から成る高所作業用安全帯の使用は、胴当てベルト１を内側にして胴締めベルト３の締付けにより腰部に取付け、フック付きロープ７の先端のフック９ａを高所作業位置に張設された親網や足場枠の横パイプ等に係合して安全性の確保を図る。
【００２１】
作業位置の変更によってフック９ａの掛け替えが生じた場合には、補助ロープ８の先端のフック９ｂを親網や横パイプに掛け、その係合状態においてフック付きロープ７の先端のフック９ａを係合解除し、あるいはフック９ａの掛け替えを行うようにする。
【００２２】
ここで、安全帯の使用において、フック付きロープ７および補助ロープ８のそれぞれが腰部の同一側に配置されていると、ロープ同士に絡みが生じ易く、フックの掛け替えの際には、その絡みを解除してフックの掛け替えを行なう必要が生じ、操作性を悪くするおそれを生じる。しかし、フック付きロープ７と補助ロープ８のそれぞれは腰部の対向位置に配置されており、しかも、補助ロープ８は収納袋１１に収納されているため、ロープ同士の絡みはなく、フックの掛け替えの操作性はきわめて良好である。
【００２３】
また、胴締めベルト３にフック付きロープ７の連結用と、補助ロープ８の連結用の２つのリングが取付けられていると、各ロープ７、８をＵ字つり状態として使用されるおそれが生じるが、胴締めベルト３には一つのリング６が取付けられているだけであるため、Ｕ字つり状態として使用されることは皆無であり、きわめて安全である。
【００２４】
【発明の効果】
以上のように、この発明においては、胴締めベルトに一つのロープ連結用のリングを取付け、そのリングにフック付きロープと補助ロープのそれぞれを連結したので、Ｕ字つり状態の使用を無くし、安全性の向上を図ることができる。
【００２５】
また、ロープ連結用のリングとして従来から使用されているリングを用いることができるため、特別仕様のリングを用いた安全帯に比較してコストの低減を図ることができる。
【００２６】
さらに、胴締めベルトの締付け状態において、フック付きロープと補助ロープが腰部の対向位置に配置されるのでロープ同士の絡みがなく、従来と同様に良好な操作性を得ることができる。
【００２７】
また、胴締めベルトに収納袋を取付けたことにより、その収納袋に補助ロープを収納しておくことがきるため、作業位置の変更に補助ロープが邪魔をすることがなく、安全にしかもスムースに位置の変更ができる。
【図面の簡単な説明】
【図１】この発明に係る高所作業用安全帯の実施の形態を示す正面図
【図２】図１のII−II線に沿った断面図
【符号の説明】
３  胴締めベルト
６  リング
７  フック付きロープ
８  補助ロープ
９ａ、９ｂ  フック
１０ロープ案内輪
１１  収納袋
【図１】
0003935593.tif 000002
【図２】
0003935593.tif 000003